(57)【要約】【課題】オンラインでのユーザ認証を行うことが可能な、新規かつ改良された現金類処理装置、現金類処理方法、及びプログラムを提供する。【解決手段】上記課題を解決するために、本発明のある観点によれば、ユーザ認証が可能なサーバと通信ネットワークを介して通信を行う通信部と、ユーザ識別情報を記憶する記憶部と、サーバとの通信が行われない場合に、ユーザ識別情報を用いたユーザ認証であるオフライン認証を行う認証部と、オフライン認証の結果に関する情報と、サーバによるユーザ認証であるオンライン認証が実行されなかった旨の情報とを提示する制御を行う制御部と、を備えることを特徴とする、現金類処理装置が提供される。【選択図】図１
2013145489.tif 000002
【特許請求の範囲】
【請求項１】
ユーザ認証が可能なサーバと通信ネットワークを介して通信を行う通信部と、
ユーザ識別情報を記憶する記憶部と、
前記サーバとの通信が行われない場合に、前記ユーザ識別情報を用いたユーザ認証であるオフライン認証を行う認証部と、
前記オフライン認証の結果に関する情報と、前記サーバによるユーザ認証であるオンライン認証が実行されなかった旨の情報とを提示する制御を行う制御部と、を備えることを特徴とする、現金類処理装置。
【請求項２】
前記制御部は、前記オフライン認証が行われた場合には、前記サーバを用いた業務であるオンライン業務を制限することを特徴とする、請求項１記載の現金類処理装置。
【請求項３】
前記制御部は、前記オンライン認証が行われた場合と、前記オフライン認証が行われた場合とで異なるユーザ権限をユーザに付与することを特徴とする、請求項１または２記載の現金類処理装置。
【請求項４】
前記制御部は、前記オフライン認証が行われた場合には、前記オンライン認証が行われた場合のユーザ権限よりも狭いユーザ権限をユーザに付与することを特徴とする、請求項３記載の現金類処理装置。
【請求項５】
前記制御部は、前記サーバとの通信が行われない場合に、過去のオンライン認証履歴に基づいて、ユーザに与えるユーザ権限を調整することを特徴とする、請求項３または４に記載の現金類処理装置。
【請求項６】
ユーザ認証が可能なサーバと通信ネットワークを介して通信を行うステップと、
前記サーバとの通信が行われない場合に、記憶部に記憶されたユーザ識別情報を用いたユーザ認証であるオフライン認証を行うステップと、
前記オフライン認証の結果に関する情報と、前記サーバによるユーザ認証であるオンライン認証が実行されなかった旨の情報とを提示する制御を行うステップと、を含むことを特徴とする、現金類処理方法。
【請求項７】
コンピュータに、
ユーザ認証が可能なサーバと通信ネットワークを介して通信を行う通信機能と、
ユーザ識別情報を記憶する記憶機能と、
前記サーバとの通信が行われない場合に、前記ユーザ識別情報を用いたユーザ認証であるオフライン認証を行う認証機能と、
前記オフライン認証の結果に関する情報と、前記サーバによるユーザ認証であるオンライン認証が実行されなかった旨の情報とを提示する制御を行う制御機能と、を実現させることを特徴とする、プログラム。
【発明の詳細な説明】
【技術分野】
【０００１】
本発明は、現金類処理装置、現金類処理方法、及びプログラムに関する。
【背景技術】
【０００２】
例えば特許文献１に開示されるように、銀行等の金融機関の営業店には、処理能力の大きい出納機と称する大型の現金類処理装置が設置されている。この現金類処理装置は紙幣入出金機や施封小束支払機等を並べて配置した構造を持ち、オペレータ等の操作により各種の現金類処理を行う機能を有している。なお、オペレータ等のユーザは、現金類処理装置を操作するに先立って、ユーザ認証を受ける。ユーザ認証では、ユーザＩＤ及びユーザ権限のチェックが行われる。ユーザは、自己に与えられたユーザ権限の範囲内で現金類処理装置を操作することができる。
【先行技術文献】
【特許文献】
【０００３】
【特許文献１】特開２００５−１５７７５９号公報
【発明の概要】
【発明が解決しようとする課題】
【０００４】
しかし、従来の現金類処理装置は、ユーザ認証を現金類処理装置内でしか行なうことができなかった。即ち、従来の現金類処理装置は、ユーザ認証をオフラインで行うことしかできなかった。このため、現金類処理装置への処理負担が大きくなっていた。そこで、本発明は、上記問題に鑑みてなされたものであり、本発明の目的とするところは、オンラインでのユーザ認証を行うことが可能な、新規かつ改良された現金類処理装置、現金類処理方法、及びプログラムを提供することにある。
【課題を解決するための手段】
【０００５】
上記課題を解決するために、本発明のある観点によれば、ユーザ認証が可能なサーバと通信ネットワークを介して通信を行う通信部と、ユーザ識別情報を記憶する記憶部と、サーバとの通信が行われない場合に、ユーザ識別情報を用いたユーザ認証であるオフライン認証を行う認証部と、オフライン認証の結果に関する情報と、サーバによるユーザ認証であるオンライン認証が実行されなかった旨の情報とを提示する制御を行う制御部と、を備えることを特徴とする、現金類処理装置が提供される。
【０００６】
ここで、制御部は、オフライン認証が行われた場合には、サーバを用いた業務であるオンライン業務を制限してもよい。
【０００７】
また、制御部は、オンライン認証が行われた場合と、オフライン認証が行われた場合とで異なるユーザ権限をユーザに付与してもよい。
【０００８】
また、制御部は、オフライン認証が行われた場合には、オンライン認証が行われた場合のユーザ権限よりも狭いユーザ権限をユーザに付与してもよい。
【０００９】
また、制御部は、サーバとの通信が行われない場合に、過去のオンライン認証履歴に基づいて、ユーザに与えるユーザ権限を調整してもよい。
【００１０】
本発明の他の観点によれば、ユーザ認証が可能なサーバと通信ネットワークを介して通信を行うステップと、サーバとの通信が行われない場合に、記憶部に記憶されたユーザ識別情報を用いたユーザ認証であるオフライン認証を行うステップと、オフライン認証の結果に関する情報と、サーバによるユーザ認証であるオンライン認証が実行されなかった旨の情報とを提示する制御を行うステップと、を含むことを特徴とする、現金類処理方法が提供される。
【００１１】
本発明の他の観点によれば、コンピュータに、ユーザ認証が可能なサーバと通信ネットワークを介して通信を行う通信機能と、ユーザ識別情報を記憶する記憶機能と、サーバとの通信が行われない場合に、ユーザ識別情報を用いたユーザ認証であるオフライン認証を行う認証機能と、オフライン認証の結果に関する情報と、サーバによるユーザ認証であるオンライン認証が実行されなかった旨の情報とを提示する制御を行う制御機能と、を実現させることを特徴とする、プログラムが提供される。
【発明の効果】
【００１２】
以上説明したように本発明による現金類処理装置は、ユーザ認証が可能なサーバと通信ネットワークを介して通信を行うので、オンラインでのユーザ認証を行うことができる。さらに、現金類処理装置は、サーバとの通信が行われない場合に、オフライン認証を行うので、ユーザは、オンライン認証が行われない場合であっても、ユーザ認証を受けることができる。さらに、現金類処理装置は、オンライン認証が行われない場合に、オフライン認証の結果に関する情報と、オンライン認証が実行されなかった旨の情報とを提示するので、ユーザは、オンライン認証が行われなかったことを容易に認識することができる。
【図面の簡単な説明】
【００１３】
【図１】本発明の実施形態に係る現金類処理装置の外観構成を示す斜視図である。
【図２】現金類処理装置のハードウェア構成を示すブロック図である。
【図３】現金類処理装置による処理の手順をしめすフローチャートである。
【図４】現金類処理装置のディスプレイに表示される画面の例を示す説明図である。
【図５】現金類処理装置のディスプレイに表示される画面の例を示す説明図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
＜１．現金類処理装置の構成＞
まず、図１及び図２に基づいて、本実施形態に係る現金類処理装置１の構成について説明する。現金類処理装置１は、制御装置１０と、ディスプレイ２０と、キーボード３０と、プリンタ４０と、紙幣入出金機５０と、硬貨入出金機６０と、施封小束支払機７０と、新券支払機８０と、棒金支払機９０と、補充回収機１００と、現金外ポスト１１０とを備える。現金類処理装置１は、出納機とも称され、金融機関の営業店内のうち、オペレータが顧客と接客して取引業務を行う窓口の後方等に設置される。
【００１６】
制御装置１０は、現金類処理装置１全体の制御を行う他、ユーザ認証に関する各種の処理を行う。詳細は後述する。ディスプレイ２０は、現金類処理に関する各種の画面を表示する。なお、ディスプレイ２０の表面にはタッチパネルが配置されている。タッチパネルは、ユーザによるタッチ操作がなされた際に、タッチ操作に関する操作情報を制御装置１０に出力する。キーボード３０は、オペレータ等のユーザが各種の情報を入力するために使用される。プリンタ４０は、現金類処理装置１を用いた入出金が行われた場合、入出金の内容に関する情報を印字する。
【００１７】
紙幣入出金機５０は、バラの紙幣の入出金を行う。硬貨入出金機６０は、バラの硬貨の入出金を行う。施封小束支払機７０は、紙幣入出金機５０から１枚ずつ搬送されてくる紙幣を一定枚数毎に紙の帯で施封して小束にし、その小束紙幣を払出し口から放出する。また、施封小束支払機７０は、小束紙幣を小束収納庫に収納して入金する。また、施封小束支払機７０は、ユーザの要求により小束収納庫から小束紙幣を取り出して出金口から放出する。
【００１８】
新券支払機８０は、各金種の紙幣を支払う。棒金支払機９０は、金種毎に一定枚数の硬貨を棒状に包んだ棒金を出金する。補充回収機１００は、営業店に設置される自動取引装置（ＡＴＭ）に対して紙幣の補充、回収を行うために使用される一括収納庫への紙幣の装填を行なう。また、補充回収機１００は、自動取引装置から取り外した一括収納庫内に収納されている紙幣の自動計数等を行い、これらの紙幣を収納する。また、補充回収機１００は、紙幣入出金機５０からの紙幣を施封小束支払機７０へ搬送する搬送路を有する。現金外ポスト１１０は、現金以外の有価証券、例えば小切手や定期預金証書等の有価証券を受け入れて入金する。入金金額等はユーザにより入力される。
【００１９】
＜２．制御装置の構成＞
次に、制御装置１０の詳細な構成について説明する。制御装置１０は、記憶部１１と、通信部１２と、認証部１３と、制御部１４とを備える。即ち、制御装置１０は、ＣＰＵ、ＲＯＭ、ＲＡＭ、各種の記録媒体（ハードディスク等）、及び通信装置等のハードウェア構成を備え、これらのハードウェア構成により記憶部１１、通信部１２、認証部１３、及び制御部１４が実現される。即ち、ＲＯＭには、制御装置１０に、記憶部１１、通信部１２、認証部１３、及び制御部１４を実現させるためのプログラムが記録されており、ＣＰＵは、このプログラムを読みだして実行する。
【００２０】
記憶部１１は、ユーザＩＤ（ユーザ識別情報）とユーザの権限に関するユーザ権限情報とを関連付けて記憶する。以下、記憶部１１が記憶するユーザＩＤ及びユーザ権限情報を「オフラインユーザＩＤ」及び「オフラインユーザ権限情報」とも称する。オフラインユーザ識別情報及びオフラインユーザ権限情報は、認証部１３によるユーザ認証に利用される。通信部１２は、通信ネットワーク２を介してサーバ３と通信を行なう。
【００２１】
サーバ３は、ユーザ識別情報及びユーザ権限情報を記憶する認証データベースを有しており、当該認証データベースを用いてユーザ認証を行なう。以下、サーバ３によるユーザ認証を「オンライン認証」とも称する。また、認証データベースに記憶されたユーザＩＤ及びユーザ権限情報を「オンラインユーザＩＤ」及び「オンラインユーザ権限情報」とも称する。なお、オンラインユーザＩＤ及びオフラインユーザＩＤが一致する場合、これらに対応するオンラインユーザ権限情報及びオフラインユーザ権限情報も一致する。
【００２２】
また、サーバ３は、通信ネットワーク２を介して複数の現金類処理装置１に接続されている。そして、サーバ３は、各現金類処理装置１と連携することで、各現金類処理装置１による処理の進捗状況を管理する。なお、各現金類処理装置１による処理の進捗状況を示す情報は、例えば連携キュー（連繋データベース）に格納される。
【００２３】
認証部１３は、サーバ３との通信が行われない場合（例えば、通信ネットワーク２に何らかのトラブルがあった場合）に、オフラインユーザＩＤ及びオフラインユーザ権限情報を用いてユーザ認証を行なう。以下、認証部１３によるユーザ認証を「オフライン認証」とも称する。
【００２４】
制御部１４は、現金類処理装置１の各構成要素を制御する他、以下の処理を行なう。即ち、制御部１４は、オフライン認証の結果に関する情報と、オンライン認証が実行されなかった旨の情報とをディスプレイ２０に表示する。なお、制御部１４は、音声にてこれらの情報を出力する制御を行なってもよい。
【００２５】
また、制御部１４は、オフライン認証が行われた場合には、オンライン認証時のユーザ権限よりも狭いユーザ権限をユーザに付与する。具体的には、制御部１４は、オフライン認証が行われた場合には、サーバ３を用いた業務であるオンライン業務を制限する。即ち、制御部１４は、ユーザによってオンライン業務が実行されないように制御する。
【００２６】
＜３．現金類処理装置及びサーバによる処理の手順＞
次に、現金類処理装置１及びサーバ３による処理の手順を図３に示すフローチャートに沿って説明する。ステップＳ１０において、制御部１４は、ユーザが自己のユーザＩＤを入力するまで待機する。ユーザは、キーボード３０を用いて自己のユーザＩＤを入力する。ユーザにより入力されたユーザＩＤ（以下、「入力ユーザＩＤ」とも称する）は、制御部１４に出力される。なお、ユーザは、自己の社員証に記録されたユーザＩＤを図示しないカードリーダに読み込ませてもよい。この場合、カードリーダは、読み込んだユーザＩＤを制御部１４に出力する。
【００２７】
ステップＳ２０において、制御部１４は、入力ユーザＩＤの桁数をチェックする。制御部１４は、入力ユーザＩＤの桁数が所定値に一致している場合には、ステップＳ３０に進み、入力ユーザＩＤの桁数が所定値と異なる場合には、ステップＳ８０−３に進む。
【００２８】
ステップＳ３０において、制御部１４は、入力ユーザＩＤを通信部１２に出力する。通信部１２は、入力ユーザＩＤをサーバ３に送信する。一方、ステップＳ３０−１において、サーバ３は、入力ユーザＩＤを受信するまで待機する。サーバ３は、入力ユーザＩＤを受信した場合には、ステップＳ３０−２に進む。ステップＳ３０−２において、サーバ３は、オンライン認証を行なう。具体的には、サーバ３は、入力ユーザＩＤに一致するオンラインユーザＩＤを認証データベースから検索する。
【００２９】
ステップＳ３０−３において、サーバ３は、入力ユーザＩＤに一致するオンラインユーザＩＤを認証データベースから発見した場合には、当該オンラインユーザＩＤと、当該オンラインユーザＩＤに関連付けられたユーザ権限情報とを認証データベースから取得する。そして、サーバ３は、オンラインユーザＩＤ及びユーザ権限情報を関連付けて現金類処理装置１に送信する。なお、サーバ３は、入力ユーザＩＤに一致するオンラインユーザＩＤを認証データベースから発見することが出来なかった場合には、その旨のエラー情報を現金類処理装置１に送信する。その後、サーバ３は処理を終了する。
【００３０】
ステップＳ５０において、現金類処理装置１の通信部１２は、サーバ３からオンラインユーザＩＤ及びオンラインユーザ権限情報が与えられたか否か、即ち、サーバ３から応答があったか否かを判定する。通信部１２は、サーバ３から応答があった場合には、ステップＳ６０に進み、サーバ３から応答がない場合には、ステップＳ９０に進む。通信部１１は、エラー情報がサーバ３から与えられた場合には、ステップＳ８０−３に進む。なお、この場合、通信部１１は、ステップＳ９０に進んでもよい。この場合、ユーザは、少なくともオフライン認証を受けることができる。
【００３１】
ステップＳ６０において、通信部１２は、オンラインユーザＩＤ及びオンラインユーザ権限情報を認証部１３に出力する。認証部１３は、オンラインユーザＩＤに一致するオフラインユーザＩＤを記憶部１１から検索する。認証部１３は、オンラインユーザＩＤに一致するオフラインユーザＩＤを記憶部１１から発見した場合には、そのオフラインユーザＩＤに関連付けられたオフラインユーザ権限情報を記憶部１１から取得し、ステップＳ７０に進む。一方、認証部１３は、オンラインユーザＩＤに一致するオフラインユーザＩＤを記憶部１１から発見することが出来なかった場合には、ステップＳ８０−３に進む。
【００３２】
ステップＳ７０において、認証部１３は、オンラインユーザ権限情報とオフラインユーザ権限情報とが一致するか否かを判定し、これらが一致すると判定した場合にはステップＳ８０に進み、これらが一致しないと判定した場合には、ステップＳ８０−３に進む。即ち、現金類処理装置１は、ステップＳ６０〜Ｓ７０の処理を行うことで、オンライン認証の結果をチェックする。即ち、現金類処理装置１及びサーバ３は、入力ユーザＩＤに対して実質的に２重のチェックを行うことができる。
【００３３】
ステップＳ８０−１において、認証部１３は、オンライン認証が成功したと判定し、その旨の情報をディスプレイ２０に表示する。さらに、制御部１４は、ログイン処理を行い、オンラインユーザ権限情報が示すユーザ権限をユーザに付与する。例えば、制御部１４は、オンラインユーザ権限情報に一または複数のオンライン業務が含まれている場合には、それらのオンライン業務の実行を許可する。制御部１４は、ユーザが実行可能な処理が一覧表示されたメニュー画面をディスプレイ２０に表示する。これにより、ユーザは、自己に与えられたユーザ権限の範囲内で各種の処理を行うことができる。その後、現金類処理装置１は、処理を終了する。
【００３４】
オンライン認証が成功した場合に表示されるメニュー画面の一例を図４に示す。図４に示すメニュー画面には、「入金」ボタン１００、「出金」ボタン１１０、「連携入金」ボタン１２０、「連携出金」ボタン１３０が描かれている。ユーザは、これらのボタンにタッチすることで、各業務を行うことができる。なお、「入金」及び「出金」はオフライン業務であり、現金類処理装置１内での入金及び出金を行う業務である。一方、「連携入金」及び「連携出金」はオンライン業務であり、現金類処理装置１内での入金及び出金を行うと共に、これらの処理の進捗状況をサーバ３に登録する処理である。ユーザは、オンライン認証が成功しているので、これらのオンライン業務を行うことができる。なお、制御部１４は、サーバ３との通信が切れてしまった場合でも、オンラインユーザ権限情報が示すユーザ権限をユーザに付与する。ただし、制御部１４は、オンライン業務に係るボタンがタッチされた場合には、オンライン業務が実行できない旨の情報をディスプレイ２０に表示する。
【００３５】
一方、上述したステップＳ９０において、認証部１３は、オフライン認証を行なう。具体的には、認証部１３は、入力ユーザＩＤに一致するオフラインユーザＩＤを記憶部１１から検索する。認証部１３は、入力ユーザＩＤに一致するオフラインユーザＩＤを記憶部１１から発見した場合には、そのオフラインユーザＩＤに関連付けられたオフラインユーザ権限情報を記憶部１１から取得し、ステップＳ１００に進む。一方、認証部１３は、入力ユーザＩＤに一致するオフラインユーザＩＤを記憶部１１から発見することが出来なかった場合には、ステップＳ８０−３に進む。
【００３６】
ステップＳ１００において、制御部１４は、オフライン認証が成功したと判定する。そして、制御部１４は、オフライン認証に成功した旨の情報と、オンライン認証が実行されなかった旨の情報とを含む注意メッセージをディスプレイ２０に表示する。したがって、ユーザは、注意メッセージを視認することによって、オンライン認証が実行されなかったことを認識することができる。その後、制御部１４は、ステップＳ８０−２に進む。
【００３７】
ステップＳ８０−２において、制御部１４は、ログイン処理を行い、オフラインユーザ権限情報が示すユーザ権限のうち、オフライン業務に関するユーザ権限のみユーザに付与する。即ち、制御部１４は、オフラインユーザ権限情報に一または複数のオンライン業務が含まれていても、ユーザによってこれらのオンライン業務が実行されないように制御する。
【００３８】
具体的には、制御部１４は、ユーザが実行可能な処理が一覧表示されたメニュー画面をディスプレイ２０に表示する。これにより、ユーザは、自己に与えられたユーザ権限の範囲内で各種の処理を行うことができる。その後、現金類処理装置１は、処理を終了する。オフライン認証が成功した場合に表示されるメニュー画面の一例を図５に示す。図５に示すメニュー画面には、「入金」ボタン１００、及び「出金」ボタン１１０が描かれるが、「連携入金」ボタン１２０、「連携出金」ボタン１３０は描かれない。これにより、制御部１４は、ユーザによって「連携入金」や「連携出金」といったオンライン業務が実行されないように制御する。なお、ユーザは、メニュー画面を視認することによっても、オンライン認証が実行されなかったことを認識することができる。
【００３９】
一方、このメニュー画面には、「通信確認」ボタン２００が描かれている。ユーザが「通信確認」ボタン２００を押した場合、通信部１２は、ステップＳ３０の処理を再度行なう。即ち、通信部１２は、サーバ３との接続を再度試みる。したがって、ユーザは、オンライン認証を受けたい場合には、「通信確認」ボタン２００をタッチすればよい。なお、ユーザがオンライン認証を受けるための他の方策としては、一旦ログオフし、再度ログインする（ユーザＩＤを再入力する）ことも挙げられる。
【００４０】
図５の例では、オンライン業務に関するボタンがディスプレイ２０に表示されないが、オンライン業務に関するボタンを表示した上で、これらのボタンをタッチする操作を無効としてもよい。
【００４１】
ステップＳ８０−３において、認証部１３は、ユーザ認証に失敗した旨のエラーメッセージを表示し、処理を終了する。
【００４２】
＜４．変形例＞
次に、本実施形態の変形例を説明する。この変形例では、現金類処理装置１は上記の処理に加えて以下の処理を行う。即ち、制御部１４は、オンライン認証に成功した場合には、オンライン認証履歴、具体的には、入力ユーザＩＤと、オンライン認証に成功した日時と、所定期間内でオンライン認証に成功した累積回数と、オンラインユーザ権限情報とを関連付けて記憶する。そして、制御部１４は、ステップＳ５０でサーバ３からの応答がなかった場合、ステップＳ９０の処理を行う前に、入力ユーザＩＤに対応する過去のオンライン認証履歴をチェックする。そして、制御部１４は、所定期間内にオンライン認証に成功したか、または、上記の累積回数が所定値を超える場合には、オンライン認証履歴内のオンラインユーザ権限情報が示すユーザ権限をユーザに付与する。一方、制御部１４は、これらの条件がいずれも満たされない場合には、ステップＳ９０に進む。したがって、制御部１４は、サーバ３との通信が行われない場合に、過去のオンライン認証履歴に基づいて、ユーザ権限を調整する。なお、制御部１４は、これらの条件の両方が満たされる場合に、オンライン認証履歴内のオンラインユーザ権限情報が示すユーザ権限をユーザに付与してもよい。
【００４３】
以上により、本実施形態によれば、現金類処理装置１は、ユーザ認証が可能なサーバ３と通信ネットワーク２を介して通信を行うので、オンラインでのユーザ認証を行うことができる。さらに、現金類処理装置１は、サーバ３との通信が行われない場合に、オフライン認証を行うので、ユーザは、オンライン認証が行われない場合であっても、ユーザ認証を受けることができる。さらに、現金類処理装置１は、オンライン認証が行われない場合に、オフライン認証の結果に関する情報と、オンライン認証が実行されなかった旨の情報とをディスプレイ２０に表示するので、ユーザは、オンライン認証が行われなかったことを容易に認識することができる。
【００４４】
さらに、現金類処理装置１は、オンライン認証が行われた場合と、オフライン認証が行われた場合とで異なるユーザ権限をユーザに付与するので、ユーザ認証の種類ごとに適切なユーザ権限をユーザに付与することができる。
【００４５】
具体的には、オフライン認証が行われた場合には、オンライン認証が行われた場合のユーザ権限よりも狭いユーザ権限をユーザに付与する。一方、オフライン認証は、オンライン認証よりもユーザ認証の信頼性が低い場合がある。したがって、現金類処理装置１は、ユーザ認証の信頼性に応じたユーザ権限をユーザに付与することができる。
【００４６】
より具体的には、現金類処理装置１は、オフライン認証が行われた場合、即ちサーバ３との通信が行われない場合に、オンライン業務を制限する。したがって、現金類処理装置１は、サーバ３との通信が行われないにも関わらず、ユーザがオンライン業務を行うといった誤操作を防止することができる。
【００４７】
さらに、現金類処理装置１は、サーバ３との通信が行われない場合に、過去のオンライン認証履歴に基づいて、ユーザに与えるユーザ権限を調整するので、過去のオンライン認証履歴も考慮したユーザ権限をユーザに付与することができる。例えば、現金類処理装置１は、過去に複数回オンライン認証を受けたユーザが、あるタイミングでオンライン認証を受けることができない場合であっても、オンライン認証時と同等のユーザ権限をユーザに付与することができる。
【００４８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４９】
１    現金類処理装置
２    通信ネットワーク
３    サーバ
１０    制御装置
１１    記憶部
１２    通信部
１３    認証部
１４    制御部
２０    ディスプレイ
３０    キーボード
４０    プリンタ
５０    紙幣入出金機
６０    効果入出金機
７０    施封小束支払機
【図１】
2013145489.tif 000003
【図２】
2013145489.tif 000004
【図３】
2013145489.tif 000005
【図４】
2013145489.tif 000006
【図５】
2013145489.tif 000007